(57)【要約】【課題】この発明は、長尺の物品等、多種多様な大きさや形状に対応することのできる収納棚に関する。【解決手段】本発明に係る収納棚１は、該収納棚１の側面２の奥行き方向に相対向して水平に設けられた係止部３と、一方側の前記側面２の前記係止部３と他方側の前記側面２の前記係止部３に亘って水平に架設されるようにその幅方向の両端が当該係止部３に着脱自在に係止される棚板４とを具備し、該棚板４のうち少なくとも１枚は、その奥行き方向に前記収納棚１の奥行き方向の長さを分割した長さを有する分割棚板４１である。【選択図】図１
2010070954.tif 000002
【特許請求の範囲】
【請求項１】
建築物の内部に設けられた水平な棚を具備する直方体形状の収納棚において、
前記収納棚の両側面にそれぞれ相対向して水平に設けられた係止部と、
一方側の前記側面の前記係止部と他方側の前記側面の前記係止部とに架設されるようにその幅方向の両端が前記収納棚の奥行き方向に当該係止部に着脱自在に係止される棚板とを具備し、
該棚板のうち少なくとも１枚が、前記収納部の奥行き方向に略等分された分割棚板であることを特徴とする収納棚。
【請求項２】
前記係止部が、前記側面に水平に奥行き方向に形成された凹溝であることを特徴とする請求項１記載の収納棚。
【請求項３】
前記係止部が水平に奥行き方向に凹溝が形成された側面板を前記収納棚の側面に貼付されて成ることを特徴とする請求項１記載の収納棚。
【請求項４】
前記分割棚板の下面と所定間隔開けて該分割棚板の幅方向に当該分割棚板に支持棒が設けられていることを特徴とする請求項１乃至３記載の収納棚。
【請求項５】
前記分割棚板がメッシュ状に形成されていることを特徴とする請求項１乃至４記載の収納棚。
【請求項６】
前記分割棚板の下方に引出しを具備する収納体が設けられたことを特徴とする請求項１乃至３記載の収納棚。
【発明の詳細な説明】
【技術分野】
【０００１】
この発明は、種々の物品を収納するための収納棚に関する。
【背景技術】
【０００２】
従来、住宅等には、日用品や、衣類等を始めその他の物品を収納するための収納スペースが設けられている。しかし、収納スペースに設けられた棚板の間隔や大きさは予め固定されていることが多いため、当該収納スペースに前記物品を効率的に収納することは困難であった。そのため、収納スペースにおける棚板の高さを変更することのできる収納棚も考案されている（例えば、特許文献１）。
【０００３】
【特許文献１】特開２０００−０８３７４７号公報
【発明の開示】
【発明が解決しようとする課題】
【０００４】
しかし、前述のように収納棚における棚板の高さを変更することができたとしても、スキーやスノーボードの板、あるいは、ゴルフのクラブ等の長尺な物品を収納することは困難であり、また、収納棚内の収納空間のバリエーションが少なく、種々の形状や大きさの物品に対応することは困難であった。そして、収納棚の奥行きは、例えば布団用なら９００ｍｍ程度、新聞用なら５００ｍｍ程度、小物用なら３００ｍｍ程度と、予め設定されており容易に変更することができなかった。また、奥行きが９００ｍｍの収納棚に、例えば衣類を収納した際には、中途半端にスペースが余るため、当該収納棚を有効活用することができていなかった。
【０００５】
この発明は上記のような種々の課題を解決することを目的としてなされたものであって、長尺の物品等、多種多様な形状や大きさに対応することのできる収納棚に関する。
【課題を解決するための手段】
【０００６】
上記目的を達成するために、請求項１記載の収納棚は、建築物の内部に設けられた水平な棚を具備する直方体形状の収納棚において、前記収納棚の両側面にそれぞれ相対向して水平に設けられた係止部と、一方側の前記側面の前記係止部と他方側の前記側面の前記係止部とに架設されるようにその幅方向の両端が前記収納棚の奥行き方向に当該係止部に着脱自在に係止される棚板とを具備し、該棚板のうち少なくとも１枚が、前記収納部の奥行き方向に略等分された分割棚板であることを特徴としている。
【０００７】
請求項２記載の収納棚は、前記係止部が、前記側面に水平に奥行き方向に形成された凹溝であることを特徴としている。
【０００８】
請求項３記載の収納棚は、前記係止部が水平に奥行き方向に凹溝が形成された側面板を前記収納棚の側面に貼付されて成ることを特徴としている。
【０００９】
請求項４記載の収納棚は、前記分割棚板の下面と所定間隔開けて該分割棚板の幅方向に当該分割棚板に支持棒が設けられていることを特徴としている。
【００１０】
請求項５記載の収納棚は、前記分割棚板がメッシュ状に形成されていることを特徴としている。
【００１１】
請求項６記載の収納棚は、前記分割棚板の下方に引出しを具備する収納体が設けられたことを特徴としている。
【発明の効果】
【００１２】
請求項１記載の収納棚によれば、棚板のうち少なくとも１枚が、前記収納部の奥行き方向に略等分されている。そのため、例えば収納棚の手前側にのみ分割棚板を設けることで、当該収納棚の奥側の高さ方向に、スキーやスノーボードの板を始めとした長尺の物品を収納するための収納スペースを確保することができる。その他にも、嵩高い物品等を収納する際にも当該物品の上方を分割棚板としておき、これを適宜取外すことで嵩高い物品も容易に収納することができる。
【００１３】
このように、本発明に係る収納棚によれば、分割棚板を組み合わせることにより種々の形状や大きさの物品を収納する際にも対応することができ、限られた収納棚のスペースを有効に使用することができる。また、分割棚板を収納棚の奥行き方向に複数連結することにより、収納棚の奥行きを満たす棚板とすることができ、大きい物品であっても収納することが可能である。
【００１４】
請求項２記載の収納棚によれば、前記係止部が、前記側面から凹状に形成された凹溝である。これにより、棚板と棚板との間に、当該間よりも嵩高い物品を多少無理やり押し込んだ場合であっても、上側の棚板が当該物品に押圧されて外れたりすることがないという利点がある。
【００１５】
請求項３記載の収納棚によれば、前記係止部が水平に奥行き方向に凹溝が形成された側面板を前記収納棚の側面に貼付されて成る。そのため、リフォームの際に既存の押入れ等の側面に側面板を貼付することにより容易に凹溝を形成して分割棚板等を係止することができる。
【００１６】
請求項４記載の収納棚によれば、前記分割棚板の下面と所定間隔開けて該分割棚板の幅方向に支持棒が設けられている。これにより、支持棒にハンガー等を引掛けることができ、服やコート等の衣類も容易に収納することができる。また、支持棒にＳ字型のフック等を取付ければ、当該フックに鞄等を引掛けることができるので、より多種多様な物品を収納することができる。
【００１７】
請求項５記載の収納棚によれば、前記分割棚板がメッシュ状に形成されている。これにより、分割棚板のメッシュ部分に、直接ハンガー等を引掛けることができ、服やコート等の衣類も容易に収納することができる。また、前記メッシュ部分にＳ字型のフック等を取付ければ、当該フックに鞄等を引掛けることができるので、より多種多様な物品を収納することができる。
【００１８】
請求項６記載の収納棚によれば、前記分割棚板の下方に引出しを具備する収納体が設けられている。これにより、引出しに物品を収納しこれを収納体に入れることで当該物品に埃等が付着することがなく、また、小さい物品をまとめて収納する際にも、これらを紛失することがない。そして、下方に収納体が設けられた分割棚板を、例えば収納棚の奥行き方向に３つ並べるようにして係止部に係止させる。そのうち、１つ目を夏物用、２つ目を冬物用、３つ目を春・秋物用としておき、それぞれの季節に対応した衣類を各収納体に収納しておく。そして、該当する季節の収納体を一番手前にしておけば、その季節の間は衣類の取出しが容易であり、その季節が終わった時点で、次の季節に該当する収納体を一番手前になるように分割棚板を入れ替えれば衣替えを容易に行うことができる。
【発明を実施するための最良の形態】
【００１９】
この発明における収納棚の最良の実施形態について、以下に説明する。本発明に係る収納棚１は、図１、図２に示すように、該収納棚１の側面２の奥行き方向に相対向して水平に設けられた係止部３と、一方側の前記側面２の前記係止部３と他方側の前記側面２の前記係止部３に亘って水平に架設されるようにその幅方向の両端が当該係止部３に着脱自在に係止される棚板４とを具備し、該棚板４のうち少なくとも１枚は、その奥行き方向に前記収納棚１の奥行き方向の長さを分割した長さを有する分割棚板４１である。
【００２０】
前記収納棚１は、例えば、住宅等の居室に設けられた幅１０００ｍｍ×奥行き１０００ｍｍ×高さ２０００ｍｍ程度の収納スペースであって、図１、図２に示すように、両開き扉５が設けられた押入れや、その他にも襖が設けられた押入れ、クローゼット等である。そして、本実施形態に係る収納棚１は、図１に示すように、住宅の居室の壁体６内部に略直方体形状に形成された空間に棚板４（４１）が設けられることにより形成され、買い置きのトイレットペーパーや、衣類等の、種々の形状、大きさの物品が収納される。尚、収納棚１の大きさは本実施形態の大きさに限定されず目的に応じて適宜変更することができるのは勿論である。
【００２１】
前記係止部３は、図１、図２に示すように、収納棚１の両側面２の相対向して水平で、且つ、一方側の側面２と他方側の側面２に設けられた係止部３が奥行き方向に同じ高さとなるように設けられている。そのため、図１に示すように、棚板４を一方側の側面２に設けられた係止部３と他方側の側面２に設けられた係止部３とに奥行き方向に亘って水平に架構して、係止することができる。
【００２２】
ここで、本実施形態に係る係止部３としては、図１乃至図３に示すように、凹状の凹溝３１とすることができ、これにより、当該凹溝３１に係止される棚板４とその上側の棚板４との間に嵩高い物品が押し込まれたとしても、該上側の棚板４が当該物品に押圧され外れることがない。この、凹溝３１は、側面２の内側に直接形成してもよいが、収納棚１の側面２と略同様の大きさに形成され、予め凹溝３１が形成された側面板７を当該収納棚１の開口部から挿入して、図３に示すように、その両側面２に貼付することにより当該凹溝３１を収納棚１に設けてもよい。
【００２３】
これにより、住宅等に予め設置され、複数の棚板４が設けられていない押入れ等であっても、リフォームの際等に容易に当該押入れに凹溝３１が形成された側面板７を設けて該凹溝３１に該棚板４を設けることができる。尚、係止部３は、本実施形態のものに限定されず、断面がＬ字状やコ字状等の収納棚１の内側の奥行き方向に突出している長尺な棚受けを使用してもよく、その他にも周知の棚板４の保持構造を適宜選択して使用することができるのは勿論である。そして、本実施形態においては、図１に示すように、係止部３を収納棚１の高さ方向に３段、それぞれの側面２に相対向して設けられているが、これに限定されるものではない。
【００２４】
前記分割棚板４１は、既述のように一方側の側面２の係止部３と他方側の側面２の係止部３とに水平に架構される木質材料等から形成されてなる棚板４であって、図１、図２に示すように、収納棚１の奥行き方向に分割したものである。この分割棚板４１は、収納棚１の幅方向と略同様の長さの幅を有し、且つ、その奥行き方向の長さは、当該収納棚１の奥行き方向の長さを例えば略３等分した３００ｍｍ程度の長さを有しているが、これに限定されず、略２等分、略４等分等、目的に応じて変更することができるのは勿論である。そして、係止部３としての凹溝３１に分割棚板４１を設置する際には、当該分割棚板４１を凹溝３１に挿入するだけでよく、また、当該分割棚板４１を取外す際には、該凹溝３１から該分割棚板４１を引抜けばよい。
【００２５】
第１の実施形態に係る分割棚板４１ａは、図１に示すように、木質材料等から形成されてなる板材である。第２の実施形態に係る分割棚板４１ｂは、図４に示すように、分割棚板４１ｂの下面と所定間隔開けて該分割棚板４１ｂの幅方向に支持棒８が設けられたものである。そして、支持棒８は、図４に示すように、分割棚板４１ｂの下面における幅方向の両端部の若干内側からその下方に突出するように設けられた支持片９にその両端が固定されることによって分割棚板４１ｂに固定されている。そのため、この支持棒８には、ハンガーＨやＳ字型のフックＦ等を引掛けることができ衣類等を容易に収納することができると共に、分割棚板４１ｂの上面にも、各種の物品を載置して収納することができる。
【００２６】
支持棒８は、例えばアルミニウムやステンレス等の軽量で且つ当該支持棒８に引掛けられる物品の重み耐え得る部材を好適に使用することができる。そして、本実施形態においては、支持棒８は分割棚板４１ｂのほぼ幅方向に亘って設けられているが、当該分割棚板４１ｂの下方の一部に該支持棒８が設けられていてもよい。
【００２７】
第３の実施形態に係る分割棚板４１ｃは、図５に示すように、当該分割棚板４１ｃがメッシュ状に形成されたものである。そのため、この分割棚板４１ｃの上面には各種の物品を載置して収納することができると共に、当該分割棚板４１ｃのメッシュ部分１０には該分割棚板４１ｃの幅方向、奥行き方向を問わずＳ字型のフックＦ等を使用者の任意の位置に取付けることができ、該フックＦに種々の物品を吊下げて収納することができる。また、この実施形態に係る分割棚板４１ｃに、第２の実施形態に係る分割棚板４１ｂのように支持棒８を設けてもよい。
【００２８】
第４の実施形態に係る分割棚板４１ｄは、図６に示すように、当該分割棚板４１ｄの下方に引出し１１を具備する収納体１２が設けられている。すなわち、分割棚板４１ｄの下方にはこれと同様の材料から形成されてなる略直方体形状の収納体１２が形成されており、その奥行き方向の手前側面には開口部１２ａが設けられている。そして、収納体１２の内部空間と合致する形状に形成された引出し１１を具備しているので、当該引出し１１に、衣類や小物等の物品を収納して、該収納体１２に該引出し１１を入れれば、収納された物品を埃等から防ぐことができる。また、本実施形態においては、引出し１１の前面１１ａは分割棚板４１ｄの奥行き方向の前面４１１ａと面一となるように形成されているため、図９に示すように、該分割棚板４１ｄを奥行き方向に並べる際にその妨げにならないように、引出し１１の把手１３は該前面の内部に掘り込まれるようにして形成されている。
【００２９】
以上のような係止部３、分割棚板４１を具備する収納棚１の具体的な使用例について以下に示す。
【００３０】
第１の使用例に係る収納棚１ａは、図７に示すように、分割棚板４１を収納棚１ａの奥側にのみ設けたものである。具体的には、収納棚１ａの側面２に設けられた係止部３のうち、最も上側の上段係止部３ａには収納棚１ａの奥行き方向の最も奥側に１枚の分割棚板４１が設けられ、中段の中段係止部３ｂには該収納棚１ａの奥行き方向の最も奥側から２枚の分割棚板４１が設けられ、最も下側の下段係止部３ｃには該収納棚１ａの奥行き方向の最も奥側から２枚の分割棚板４１が設けられている。このように、各段に設けられた分割棚板４１と扉５との間において、収納棚１ａの高さ方向に形成される空間を設けることで、例えばゴルフクラブやスキーの板等の長尺な物品Ｌを収納することができる。また、スキーの板や、サーフボード等の長尺な物品Ｌは使用する季節が限られるため、これらを使用しない季節には、これらの季節外れの物品を収納棚１の奥に収納しておくことで、その他の物品を収納する際の妨げになることがない。
【００３１】
第２の使用例に係る収納棚１ｂは、図８に示すように、分割棚板４１を収納棚１ｂの手前側にのみ設けたものである。具体的には、上段係止部３ａの最も手前側に１枚の分割棚板４１が設けられ、中段係止部３ｂの最も手前側から２枚の分割棚板４１が設けられ、下段係止部３ｃの最も手前側から２枚の分割棚板４１が設けられている。このように、各段に設けられた分割棚板４１と収納棚１ｂの奥側面１４との間において、該収納棚１ｂの高さ方向に形成される空間を設けることで、前述のような長尺な物品Ｌを収納することができる。
【００３２】
尚、前述の第１、及び第２の使用例に係る収納棚１において使用される分割棚板４１は、既述の第１乃至４の実施形態の分割棚板４１ａ〜４１ｄを適宜選択して使用することができる。また、長尺な物品Ｌを収納するためのスペースを確保する際には、３段の係止部３のうち収納棚１の手前側、若しくは奥側における、１段若しくは高さ方向に連続する２段の係止部３の分割棚板４１を設けずに長尺な物品Ｌを収納するためのスペースを確保してもよい。
【００３３】
第３の使用例に係る収納棚１ｃは、図９に示すように、第３の実施形態に係る分割棚板４１ｃを、中段係止部３ｂの奥行き方向に３つ並べて配置したものである。この際には、３つの分割棚板４１ｃの収納体１２の引出し１１における１つ目の引出し１１には夏物の衣類を収納し、２つ目の引出し１１には冬物の衣類を収納し、３つ目の引出し１１には春・秋物の衣類を収納するのが好適である。すなわち、現在の季節の衣類を収納した収納体１２を具備する分割棚板４１ｃを最も手前に配置すれば、毎日の着替えの際には、容易に現在の季節の衣類を取出すことができると共に、衣替えをする際にも、収納棚１ｃの奥行き方向に配置された分割棚板４１ｃの順番を変更するだけでよく、作業が容易である。
【００３４】
また、本使用例においては、図９に示すように、収納体１２を有する３つの分割棚板４１ｃにおける当該収納体１２の大きさは何れも同じ大きさであるが、例えば前述のように衣類を収納する際に、春・秋物が多い場合や冬物の衣類が嵩張る場合等は、必要に応じて、収納体１２の高さや幅を変化させることによりその容積を大きくすることができるのは勿論である。また、収納体１２を具備する分割棚板４１ｃが設けられた中段係止部３ｂ以外の上段係止部３ａ、及び中段係止部３ｃには、第１乃至第４の何れかの実施形態に係る分割棚板４１を適宜組合わせる等して設けることができる。
【００３５】
第４の使用例に係る収納棚１ｄは、図１０に示すように、上段係止部３ａの最も奥側に第１の実施形態に係る分割棚板４１ａを配置することにより枕棚としてその上に種々の物品を収納することができる。そして、中段係止部３ｂに第２の実施形態に係る分割棚板４１ｂを配置し、下段係止部３ｃには分割棚板４１を設けないことにより該分割棚板４１ｂの下方には支持棒８にハンガーＨ等を吊るして丈の長いコート等の衣類を収納することもできると共に該分割棚板４１ｂの上には種々の物品を収納できる。
【００３６】
また、第４の使用例に係る収納棚１ｄにおける上段係止部３ａの分割棚板４１を第３の実施形態に係る分割棚板４１ｃとして、さらに中段係止部３ｂの分割棚板４１を第１の実施形態に係る分割棚板４１ａとしてもよく、さらに、その他にも各段の係止部３のすべての分割棚板４１を第１乃至第４の実施形態に係る分割棚板４１うちの１つで統一してもよい。さらに、中段係止部３ｂの奥側から順番に第１、第２、第４の実施形態に係る分割棚板４１ａ、４１ｂ、４１ｃを配置する等、各段の係止部３に種類の異なる分割棚板４１を配置することもでき、また、その一部の分割棚板４１を固定する等してもよく、分割棚板１の組合せも使用者の必要に応じて適宜変更することができるのは勿論である。
【００３７】
以上のような収納棚１を使用することにより、長尺の物品等、多種多様な大きさや形状に対応することができる。
【産業上の利用可能性】
【００３８】
本発明に係る収納棚１は、住宅等の居室に予め据付けておくことは勿論、リフォーム等の際に、従来の押入れ等を当該収納棚１としてもよいのは勿論である。
【図面の簡単な説明】
【００３９】
【図１】第１の実施形態に係る分割棚板を使用した収納棚の全体斜視説明図
【図２】本実施形態に係る図１の収納棚の上視図
【図３】本実施形態に係る係止部の拡大図
【図４】第２の実施形態に係る分割棚板の全体斜視図
【図５】第３の実施形態に係る分割棚板の全体斜視図
【図６】第４の実施形態に係る分割棚板の全体斜視図
【図７】第１の使用例に係る収納棚の収納状態の側断面説明図
【図８】第２の使用例に係る収納棚の収納状態の側断面説明図
【図９】第３の使用例に係る収納棚の収納状態の側断面説明図
【図１０】第４の使用例に係る収納棚の収納状態の側断面説明図
【符号の説明】
【００４０】
１        収納棚
２        側面
３（３ａ〜３ｃ）  係止部
３１（３）        凹溝
４（４１）        棚板
４１（４１ａ〜４１ｄ）      分割棚板
８        支持棒
１１      引出し
１２      収納体
【図１】
2010070954.tif 000003
【図２】
2010070954.tif 000004
【図３】
2010070954.tif 000005
【図４】
2010070954.tif 000006
【図５】
2010070954.tif 000007
【図６】
2010070954.tif 000008
【図７】
2010070954.tif 000009
【図８】
2010070954.tif 000010
【図９】
2010070954.tif 000011
【図１０】
2010070954.tif 000012